(57)【要約】【課題】外部から確実に押圧されることができる現像カートリッジを提供すること。【解決手段】現像カートリッジ１は、フレーム２と、現像ローラ３とを備える。フレーム２は、現像剤を収容可能な現像剤収容室４を有する。フレーム２は、第１面５と、第２面６とを備える。第１面５は、外部から押圧される。第１面５は、現像剤収容室４に対して現像ローラ３の反対側に位置する。第２面６は、外部から押圧される。第２面６は、現像剤収容室４に対して現像ローラ３の反対側に位置する。第２面６は、第１面５よりも現像ローラ３から遠い。【選択図】図１
2018055031.tif 000002
【特許請求の範囲】
【請求項１】
現像剤を収容可能な現像剤収容室を有するフレームと、
現像ローラと、を備え、
前記フレームは、
外部から押圧され、前記現像剤収容室に対して前記現像ローラの反対側に位置する第１面と、
外部から押圧され、前記現像剤収容室に対して前記現像ローラの反対側に位置する第２面であって、前記第１面よりも前記現像ローラから遠い第２面と、を備えていることを特徴とする現像カートリッジ。
【請求項２】
前記第１面と前記現像ローラの軸線との間の距離は、４０ｍｍ〜１５０ｍｍであり、
前記第２面と前記現像ローラの軸線との間の距離は、４１ｍｍ〜１５５ｍｍであることを特徴とする請求項１に記載の現像カートリッジ。
【請求項３】
前記第１面と前記第２面との間の距離は、１ｍｍ〜５ｍｍであることを特徴とする請求項１または請求項２に記載の現像カートリッジ。
【請求項４】
前記フレームは、
前記現像剤収容室に対して前記現像ローラの反対側に位置し、前記フレームの外表面から前記現像ローラから離れる方向に突出する第１突起であって、前記第１面を有する第１突起と、
前記現像剤収容室に対して前記現像ローラの反対側に位置し、前記外表面から前記現像ローラから離れる方向に突出する第２突起であって、前記第２面を有し、前記第１突起と間隔を空けて位置する第２突起と、を備えることを特徴とする請求項１から請求項３のいずれか一項に記載の現像カートリッジ。
【請求項５】
前記現像ローラの軸線が延びる軸線方向における前記第１突起の寸法と、前記軸線方向における前記第２突起の寸法とは、互いに異なることを特徴とする請求項４に記載の現像カートリッジ。
【請求項６】
前記現像ローラの軸線が延びる軸線方向における前記第１突起の寸法と、前記軸線方向における前記第２突起の寸法とは、互いに同じであることを特徴とする請求項４に記載の現像カートリッジ。
【請求項７】
前記フレームは、前記現像剤収容室を有するベース部を有し、
前記第２突起は、
前記ベース部と一体であり、前記外表面から突出する突出部分と、
前記ベース部と別体であり、前記突出部分に取り付けられる取付部材であって、前記第２面を有する取付部材と、を備えることを特徴とする請求項４から請求項６のいずれか一項に記載の現像カートリッジ。
【請求項８】
前記フレームは、前記現像剤収容室を有するベース部を有し、
前記第１突起および前記第２突起の少なくともいずれか一方は、前記ベース部に対して着脱可能であることを特徴とする請求項４から請求項６のいずれか一項に記載の現像カートリッジ。
【請求項９】
前記第１突起および前記第２突起は、前記現像ローラの軸線が延びる軸線方向における前記外表面の一端部に位置し、
前記フレームは、
前記現像剤収容室に対して前記現像ローラの反対側に位置し、前記外表面から前記現像ローラから離れる方向に突出する第３突起であって、前記軸線方向における前記外表面の他端部に位置する第３突起と、
前記現像剤収容室に対して前記現像ローラの反対側に位置し、前記外表面から前記現像ローラから離れる方向に突出する第４突起であって、前記軸線方向における前記外表面の他端部において、前記第３突起と間隔を空けて位置する第４突起と、を備え、
前記第３突起は、外部から押圧される第３面を有し、
前記第４突起は、外部から押圧され、前記第３面よりも前記現像ローラから遠い第４面を有していることを特徴とする請求項４から請求項８のいずれか一項に記載の現像カートリッジ。
【請求項１０】
前記第３面と前記現像ローラの軸線との間の距離は、前記第１面と前記現像ローラの軸線との間の距離と同じであり、
前記第４面と前記現像ローラの軸線との間の距離は、前記第２面と前記現像ローラの軸線との間の距離と同じであることを特徴とする請求項９に記載の現像カートリッジ。
【請求項１１】
前記外表面は、前記軸線方向における一方の第１エッジと、前記軸線方向における他方の第２エッジとを有し、
前記軸線方向における前記第１エッジと前記第１突起との間の距離と、前記軸線方向における前記第２エッジと前記第３突起との間の距離とは同じであり、
前記軸線方向における前記第１エッジと前記第２突起との間の距離と、前記軸線方向における前記第２エッジと前記第４突起との間の距離とは同じであることを特徴とする請求項９または請求項１０に記載の現像カートリッジ。
【請求項１２】
前記フレームは、前記現像ローラに現像剤を供給するための開口であって、前記軸線方向における一方のエッジと、前記軸線方向における他方のエッジとを有する開口を備え、
前記第１突起は、前記開口の前記一方のエッジに対して、前記軸線方向の一方に位置し、
前記第２突起は、前記開口の前記一方のエッジに対して、前記軸線方向の他方に位置することを特徴とする請求項９から請求項１１のいずれか一項に記載の現像カートリッジ。
【請求項１３】
前記軸線方向における前記開口の前記一方のエッジと前記第１突起との間の距離は、０．５ｍｍ〜２ｍｍであり、
前記軸線方向における前記開口の前記一方のエッジと前記第２突起との間の距離は、０．５ｍｍ〜２ｍｍであることを特徴とする請求項１２に記載の現像カートリッジ。
【請求項１４】
前記第３突起は、前記開口の前記他方のエッジに対して、前記軸線方向の他方に位置し、
前記第４突起は、前記開口の前記他方のエッジに対して、前記軸線方向の一方に位置することを特徴とする請求項１２または請求項１３に記載の現像カートリッジ。
【請求項１５】
前記軸線方向における前記開口の前記他方のエッジと前記第３突起との間の距離は、０．５ｍｍ〜２ｍｍであり、
前記軸線方向における前記開口の前記他方のエッジと前記第４突起との間の距離は、０．５ｍｍ〜２ｍｍであることを特徴とする請求項１４に記載の現像カートリッジ。
【請求項１６】
前記フレームは、
前記現像剤収容室に対して前記現像ローラの反対側に位置し、前記フレームの外表面から前記現像ローラから離れる方向に突出する第１突起であって、前記現像ローラの軸線の延びる軸線方向における前記外表面の一端部に位置する第１突起と、
前記現像剤収容室に対して前記現像ローラの反対側に位置し、前記外表面から前記現像ローラから離れる方向に突出する第２突起であって、前記軸線方向における前記外表面の他端部に位置する第２突起と、を備え、
前記第１突起は、前記第１面および前記第２面を有し、
前記第２突起は、
外部から押圧される第３面と、
外部から押圧され、前記第３面よりも前記現像ローラから遠い第４面とを有していることを特徴とする請求項１から請求項３のいずれか一項に記載の現像カートリッジ。
【請求項１７】
前記第１面と前記現像ローラの軸線との間の距離は、前記第３面と前記現像ローラの軸線との間の距離と同じであり、
前記第２面と前記現像ローラの軸線との間の距離は、前記第４面と前記現像ローラの軸線との間の距離と同じであることを特徴とする請求項１６に記載の現像カートリッジ。
【請求項１８】
前記軸線方向における前記第１突起の寸法は、６ｍｍ〜２０ｍｍであり、
前記軸線方向における前記第２突起の寸法は、６ｍｍ〜２０ｍｍであることを特徴とする請求項１６または請求項１７に記載の現像カートリッジ。
【請求項１９】
前記フレームは、前記現像ローラに現像剤を供給するための開口であって、前記軸線方向における一方のエッジと、前記軸線方向における他方のエッジとを有する開口を備え、
前記第１突起は、
前記軸線方向における前記第１突起の一方のエッジであって、前記開口の前記一方のエッジに対して前記軸線方向の一方に位置する前記第１突起の一方のエッジと、
前記軸線方向における前記第１突起の他方のエッジであって、前記開口の前記一方のエッジに対して前記軸線方向の他方に位置する前記第１突起の他方のエッジと、を有することを特徴とする請求項１６から請求項１８のいずれか一項に記載の現像カートリッジ。
【請求項２０】
前記軸線方向における前記開口の前記一方のエッジと前記第１突起の前記一方のエッジとの間の距離は、３ｍｍ〜１０ｍｍであり、
前記軸線方向における前記開口の前記一方のエッジと前記第１突起の前記他方のエッジとの間の距離は、３ｍｍ〜１０ｍｍであることを特徴とする請求項１９に記載の現像カートリッジ。
【請求項２１】
前記第２突起は、
前記軸線方向における前記第２突起の一方のエッジであって、前記開口の前記他方のエッジに対して前記軸線方向の一方に位置する前記第２突起の一方のエッジと、
前記軸線方向における前記第２突起の他方のエッジであって、前記開口の前記他方のエッジに対して前記軸線方向の他方に位置する前記第２突起の他方のエッジと、を有することを特徴とする請求項１９または請求項２０に記載の現像カートリッジ。
【請求項２２】
前記軸線方向における前記開口の前記他方のエッジと前記第２突起の前記一方のエッジとの間の距離は、３ｍｍ〜１０ｍｍであり、
前記軸線方向における前記開口の前記他方のエッジと前記第２突起の前記他方のエッジとの間の距離は、３ｍｍ〜１０ｍｍであることを特徴とする請求項２１に記載の現像カートリッジ。
【請求項２３】
前記フレームは、前記現像剤収容室を有するベース部を有し、
前記第１突起および前記第２突起の少なくともいずれか一方は、前記ベース部に対して着脱可能であることを特徴とする請求項１６から請求項２２のいずれか一項に記載の現像カートリッジ。
【請求項２４】
外部から押圧される押圧位置は、前記軸線方向における前記第１突起の中央よりも、前記軸線方向における前記第１突起の端部に近いことを特徴とする請求項１６から請求項２３のいずれか一項に記載の現像カートリッジ。
【請求項２５】
外部から押圧される押圧位置は、前記軸線方向における前記第２突起の中央よりも、前記軸線方向における前記第２突起の端部に近いことを特徴とする請求項１６から請求項２４のいずれか一項に記載の現像カートリッジ。
【請求項２６】
前記フレームは、前記現像剤収容室に対して前記現像ローラの反対側に位置し、前記フレームの外表面から前記現像ローラから離れる方向に突出する突起であって、前記外表面の前記現像ローラの軸線が延びる軸線方向の中央を、前記軸線方向に横切るように延び、前記第１面および前記第２面を有する突起を備えることを特徴とする請求項１から請求項３のいずれか一項に記載の現像カートリッジ。
【請求項２７】
前記軸線方向における前記突起の寸法は、２００ｍｍ〜２３０ｍｍであることを特徴とする請求項２６に記載の現像カートリッジ。
【請求項２８】
前記突起は、外部から押圧される第３面を有し、
前記第３面と前記現像ローラの軸線との間の距離は、前記第１面と前記現像ローラの軸線軸線との間の距離と同じであり、
前記第２面は、前記軸線方向において、前記第１面と前記第３面との間に位置していることを特徴とする請求項２６または請求項２７に記載の現像カートリッジ。
【請求項２９】
前記現像カートリッジは、第１の仕様のドラムカートリッジと、前記第１の仕様とは異なる第２の仕様のドラムカートリッジとのそれぞれに着脱可能に構成され、
前記フレームは、
前記現像カートリッジが前記第１の仕様のドラムカートリッジに装着されたときに前記第１の仕様のドラムカートリッジと接触可能な第１接触部と、
前記現像カートリッジが前記第２の仕様のドラムカートリッジに装着されたときに前記第２の仕様のドラムカートリッジと接触可能な第２接触部であって、前記第１接触部と異なる第２接触部と、を備えていることを特徴とする請求項１から請求項２８のいずれか一項に記載の現像カートリッジ。
【請求項３０】
前記第１面は、前記現像カートリッジは前記第１の仕様のドラムカートリッジに装着されたときに、外部から押圧され、
前記第２面は、前記現像カートリッジは前記第２の仕様のドラムカートリッジに装着されたときに、外部から押圧され、
前記第１面は、前記第２面に対して、前記現像ローラの軸線の延びる軸線方向の一方に位置し、
前記第１接触部は、前記第２接触部に対して、前記軸線方向の一方に位置することを特徴とする請求項２９に記載の現像カートリッジ。
【発明の詳細な説明】
【技術分野】
【０００１】
本発明は、現像カートリッジに関する。
【背景技術】
【０００２】
従来、現像ローラを備える現像カートリッジが知られている。現像カートリッジは、現像剤を収容可能な現像剤収容室を有するフレームを備える。現像カートリッジは、感光ドラムを備えるドラムカートリッジに対して着脱可能である。
【０００３】
例えば、特許文献１では、ドラムカートリッジが押圧部材を備える。フレームは、現像カートリッジがドラムカートリッジに装着された状態において、押圧部材に押圧される面を有する。押圧部材に押圧される面は、現像剤収容室に対して現像ローラの反対側に位置する。
【先行技術文献】
【特許文献】
【０００４】
【特許文献１】特開２０１５−１２９８１７号公報
【発明の概要】
【発明が解決しようとする課題】
【０００５】
特許文献１に記載の現像カートリッジが、互いに異なる複数の仕様のドラムカートリッジに着脱可能に構成される場合がある。複数の仕様のドラムカートリッジでは、押圧部材の配置が異なる。そのため、現像カートリッジがドラムカートリッジに装着されたときに、フレームの面が押圧部材に押圧されない場合がある。
【０００６】
そこで、本開示の目的は、外部から確実に押圧されることができる現像カートリッジを提供することにある。
【課題を解決するための手段】
【０００７】
本開示の現像カートリッジは、フレームと、現像ローラとを備える。フレームは、現像剤を収容可能な現像剤収容室を有する。フレームは、第１面と、第２面とを備える。第１面は、外部から押圧される。第１面は、現像剤収容室に対して現像ローラの反対側に位置する。第２面は、外部から押圧される。第２面は、現像剤収容室に対して現像ローラの反対側に位置する。第２面は、第１面よりも現像ローラから遠い。
【０００８】
このような構成によれば、フレームが、第１面と、第２面とを備える。第２面は、第１面よりも現像ローラから遠い。そして、第１面は、現像カートリッジが第１の仕様のドラムカートリッジに装着されたときに、外部から押圧されることができる。また、第２面は、現像カートリッジが第２の仕様のドラムカートリッジに装着されたときに、外部から押圧されることができる。つまり、現像カートリッジは、互いに異なる複数の仕様のドラムカートリッジに装着されたときに、外部から確実に押圧されることができる。
【発明の効果】
【０００９】
本開示の現像カートリッジは、外部から確実に押圧されることができる。
【図面の簡単な説明】
【００１０】
【図１】図１は、本発明の現像カートリッジの第１実施形態が第１の仕様のドラムカートリッジに装着された状態の平面図である。
【図２】図２は、図１に示す現像カートリッジの側面図である。
【図３】図３は、図１に示す現像カートリッジの正面図である。
【図４】図４は、図１に示す現像カートリッジが第２の仕様のドラムカートリッジに装着された状態の平面図である。
【図５】図５は、第１実施形態の第１の変形例を説明するための説明図である。
【図６】図６は、第１実施形態の第２の変形例を説明するための説明図である。
【図７】図７は、第１実施形態の第３の変形例を説明するための説明図である。
【図８】図８は、本発明の現像カートリッジの第２実施形態が第１の仕様のドラムカートリッジに装着された状態の平面図である。
【図９】図９は、図８に示す現像カートリッジの正面図である。
【図１０】図１０は、図８に示す現像カートリッジが第２の仕様のドラムカートリッジに装着された状態の平面図である。
【図１１】図１１は、第２実施形態の第１の変形例を説明するための説明図である。
【図１２】図１２は、第２実施形態の第２の変形例を説明するための説明図である。
【図１３】図１３は、第２実施形態の第３の変形例を説明するための説明図である。
【図１４】図１４は、本発明の現像カートリッジの第３実施形態が第１の仕様のドラムカートリッジに装着された状態の平面図である。
【図１５】図１５は、図１４に示す現像カートリッジが第２の仕様のドラムカートリッジに装着された状態の平面図である。
【発明を実施するための形態】
【００１１】
［第１実施形態］
１．現像カートリッジの概略
図１から図３を参照して、第１実施形態の現像カートリッジ１の概略について説明する。
【００１２】
図１および図２に示すように、現像カートリッジ１は、ドラムカートリッジ３０に対して着脱可能である。ドラムカートリッジ３０は、ドラムフレーム３４と、感光ドラム３５と、押圧部材３９とを備える。ドラムフレーム３４は、枠体３４Ａと、底壁３４Ｂとを一体的に備える。枠体３４Ａは、現像カートリッジ１がドラムカートリッジ３０に装着された状態において、現像カートリッジ１を囲む。底壁３４Ｂは、現像カートリッジ１がドラムカートリッジ３０に装着された状態において、現像カートリッジ１に対して、現像カートリッジ１のドラムカートリッジ３０に対する着脱方向に並ぶ。感光ドラム３５は、所定方向に延びる軸線について回転可能である。感光ドラム３５の周面には、静電潜像が形成される。感光ドラム３５は、枠体３４Ａに回転可能に支持される。押圧部材３９は、現像カートリッジ１がドラムカートリッジ３０に装着された状態において、現像カートリッジ１を感光ドラム３５に向かって押圧するように構成される。
【００１３】
現像カートリッジ１は、現像カートリッジ１がドラムカートリッジ３０に装着される状態で、感光ドラム３５の表面に現像剤を供給するように構成される。現像カートリッジ１は、現像ローラ３と、フレーム２とを備える。現像ローラ３は、所定方向に延びる軸線Ａについて回転可能である。なお、現像ローラ３の軸線が延びる方向を軸線方向と定義する。また、着脱方向は軸線方向と交差する。現像ローラ３は、現像カートリッジ１がドラムカートリッジ３０に装着されている状態で、感光ドラム３５と接触する。
【００１４】
図１に示すように、フレーム２は、現像剤収容室４を有する。現像剤収容室４は、現像剤を収容可能である。現像剤は、例えば、トナーである。詳しくは、フレーム２は、ベース部３７と、ローラ収容部３８と、壁３６とを有する。ベース部３７は、現像剤収容室４を有する。現像剤収容室４は、ベース部３７の内部空間である。ローラ収容部３８は、軸線方向と直交する方向において、ベース部３７と並ぶ。ローラ収容部３８は、現像ローラ３を収容する。つまり、現像ローラ３と現像剤収容室４とは、軸線方向と直交する方向に並ぶ。なお、軸線方向と直交する方向であって、現像ローラ３と現像剤収容室４とが並ぶ方向を第１方向と定義する。また、第１方向は、着脱方向と交差する。ローラ収容部３８は、現像ローラ３を回転可能に支持する。壁３６は、ベース部３７とローラ収容部３８との間に位置する。壁３６は、現像剤収容室４とローラ収容部３８の内部空間とを仕切る。
【００１５】
フレーム２は、開口１４を備える。開口１４は、現像ローラ３に現像剤を供給するための開口である。詳しくは、壁３６は、開口１４を有する。開口１４は、ローラ収容部３８の内部空間と現像剤収容室４とを連通する。図３に示すように、開口１４は、軸線方向に延びる。開口１４は、軸線方向における一方のエッジ１４Ａと、軸線方向における他方のエッジ１４Ｂとを有する。一方のエッジ１４Ａと他方のエッジ１４Ｂとは、軸線方向において互いに間隔を空けて位置する。
【００１６】
２．現像カートリッジの詳細
次いで、図１から図４を参照して、現像カートリッジ１の詳細について説明する。
【００１７】
図１および図４に示すように、現像カートリッジ１は、現像カートリッジ１がドラムカートリッジ３０に装着された状態において、押圧部材３９から押圧可能な複数の面を有する。詳しくは、現像カートリッジ１は、第１の仕様のドラムカートリッジ３０Ａと、第１の仕様とは異なる第２の仕様のドラムカートリッジ３０Ｂとのそれぞれに着脱可能に構成される。第１の仕様のドラムカートリッジ３０Ａと第２の仕様のドラムカートリッジ３０Ｂとでは、押圧部材３９の配置が異なる。詳しくは、第１の仕様のドラムカートリッジ３０Ａは、押圧部材３９として第１押圧部材４０および第２押圧部材４２を備える。第２の仕様のドラムカートリッジ３０Ｂは、押圧部材３９として第１押圧部材４１および第２押圧部材４３を備える。
【００１８】
現像カートリッジ１は、第１面５と、第２面６とを備える。第１面５は、現像カートリッジ１が第１の仕様のドラムカートリッジ３０Ａに装着されたときに、第１押圧部材４０から押圧される面である（図１参照）。第２面６は、現像カートリッジ１が第２の仕様のドラムカートリッジ３０Ｂに装着されたときに、第１押圧部材４１から押圧される面である（図４参照）。
【００１９】
２．１  第１面および第２面
図１に示すように、フレーム２は、第１面５と、第２面６とを備える。第１面５は、現像剤収容室４に対して現像ローラ３の反対側に位置する。第１面５は、第１方向において、ベース部３７に対して現像ローラ３の反対側に位置する。第２面６は、現像剤収容室４に対して現像ローラ３の反対側に位置する。第２面６は、第１方向において、ベース部３７に対して現像ローラ３の反対側に位置する。第２面６は、第１面５よりも現像ローラ３から遠い。第１面５と第２面６とは、軸線方向に並ぶ。第１面５は、第２面６に対して、軸線方向の一方に位置する。
【００２０】
詳しくは、フレーム２は、第１突起８と、第２突起９とを一体的に備える。第１突起８は、現像剤収容室４に対して現像ローラ３の反対側に位置する。第１突起８は、第１方向において、ベース部３７に対して現像ローラ３の反対側に位置する。第１突起８は、フレーム２の外表面７に設けられる。フレーム２は、第１方向において、現像ローラ３を支持する一端部と、一端部と反対側の他端部とを有する。
【００２１】
フレーム２の外表面７は、第１方向におけるフレーム２の他端部の外表面である。つまり、外表面７は、第１方向におけるベース部３７の他端部の外表面である。外表面７は、現像剤収容室４に対して現像ローラ３の反対側に位置する。外表面７は、現像カートリッジ１がドラムカートリッジ３０に装着された状態において、押圧部材３９から押圧されない（図１および図４参照）。
【００２２】
図３に示すように、外表面７は、軸線方向に延びる。外表面７は、軸線方向における一方の第１エッジ７Ａと、軸線方向における他方の第２エッジ７Ｂとを有する。第１エッジ７Ａと第２エッジ７Ｂとは、軸線方向において互いに間隔を空けて位置する。
【００２３】
第１突起８は、軸線方向における外表面７の一端部に位置する。第１突起８は、軸線方向において、第１エッジ７Ａに対して間隔を空けて位置する。第１突起８は、軸線方向において、外表面７の第１エッジ７Ａと開口１４の一方のエッジ１４Ａとの間に位置する。
【００２４】
図２に示すように、第１突起８は、フレーム２の外表面７から現像ローラ３から離れる方向に突出する。第１突起８は、外表面７から第１方向に延びる。第１突起８は、第１面５を有する。第１面５は、円弧形状を有する。第１面５と現像ローラ３の軸線Ａとの間の距離Ｌ１は、４０ｍｍ〜１５０ｍｍである。詳しくは、距離Ｌ１は、第１面５における点Ｐ１と軸線Ａとの間の距離である。点Ｐ１は、第１面５における軸線Ａから最も遠い点である。
【００２５】
図１に示すように、第１面５は、現像カートリッジ１が第１の仕様のドラムカートリッジ３０Ａに装着されたときに、外部から押圧される。詳しくは、第１面５は、現像カートリッジ１が第１の仕様のドラムカートリッジ３０Ａに装着されたときに、第１押圧部材４０により押圧される。なお、第１押圧部材４０は、第２面６を押圧しない。第１押圧部材４０は、第１面５を感光ドラム３５に向かって押圧する。第１押圧部材４０は、現像カートリッジ１を感光ドラム３５に向けて押圧する。これにより、現像ローラ３が感光ドラム３５と安定して接触する。
【００２６】
第２突起９は、現像剤収容室４に対して現像ローラ３の反対側に位置する。第２突起９は、第１方向において、ベース部３７に対して現像ローラ３の反対側に位置する。第２突起９は、フレーム２の外表面７に設けられる。
【００２７】
図３に示すように、第２突起９は、軸線方向における外表面７の一端部に位置する。第２突起９は、軸線方向において、第１突起８に対して第１エッジ７Ａの反対側に位置する。第２突起９は、軸線方向において、第１突起８と間隔を空けて位置する。第２突起９は、開口１４の一方のエッジ１４Ａに対して、第１突起８の反対側に位置する。つまり、第１突起８は、開口１４の一方のエッジ１４Ａに対して、軸線方向の一方に間隔を空けて位置する。第２突起９は、開口１４の一方のエッジ１４Ａに対して、軸線方向の他方に間隔を空けて位置する。軸線方向における開口１４の一方のエッジ１４Ａと第１突起８との間の距離Ｌ２は、０．５ｍｍ〜２ｍｍである。軸線方向における開口１４の一方のエッジ１４Ａと第２突起９との間の距離Ｌ３は、０．５ｍｍ〜２ｍｍである。また、軸線方向における第１突起８の寸法と、軸線方向における第２突起９の寸法とは、互いに異なる。詳しくは、軸線方向における第２突起９の寸法は、軸線方向における第１突起８の寸法より大きい。
【００２８】
図２に示すように、第２突起９は、外表面７から現像ローラ３から離れる方向に突出する。第２突起９は、外表面７から第１方向に延びる。第１方向における第２突起９の寸法は、第１方向における第１突起８の寸法よりも大きい。
【００２９】
第２突起９は、第２面６を有する。第２面６は、円弧形状を有する。第２面６と軸線Ａとの間の距離Ｌ４は、４１ｍｍ〜１５５ｍｍである。詳しくは、距離Ｌ４は、第２面６における点Ｐ２と軸線Ａとの間の距離である。点Ｐ２は、第２面６における軸線Ａから最も遠い点である。また、第２面６は、第１方向において、第１面５に対して間隔を空けて位置する。第１面５と第２面６との間の距離Ｌ５は、１ｍｍ〜５ｍｍである。詳しくは、距離Ｌ５は、第１面５における点Ｐ１と、第２面６における点Ｐ２との間の距離である。
【００３０】
図４に示すように、第２面６は、現像カートリッジ１は第２の仕様のドラムカートリッジ３０Ｂに装着されたときに、外部から押圧される。詳しくは、第２面６は、現像カートリッジ１が第２の仕様のドラムカートリッジ３０Ｂに装着されたときに、第１押圧部材４１により押圧される。なお、第１押圧部材４１は、第１面５を押圧しない。第１押圧部材４１は、第２面６を感光ドラム３５に向かって押圧する。第１押圧部材４１は、現像カートリッジ１を感光ドラム３５に向けて押圧する。これにより、現像ローラ３が感光ドラム３５と安定して接触する。
【００３１】
２．２  第３面および第４面
図１に示すように、フレーム２は、さらに、第３面１２と、第４面１３とを備える。第３面１２は、現像剤収容室４に対して現像ローラ３の反対側に位置する。第３面１２は、第１方向において、ベース部３７に対して現像ローラ３の反対側に位置する。第４面１３は、現像剤収容室４に対して現像ローラ３の反対側に位置する。第４面１３は、第１方向において、ベース部３７に対して現像ローラ３の反対側に位置する。第４面１３は、第３面１２よりも現像ローラ３から遠い。第３面１２と第４面１３とは、軸線方向に並ぶ。第３面１２は、第４面１３に対して軸線方向の他方に位置する。
【００３２】
詳しくは、フレーム２は、第３突起１０と、第４突起１１とを一体的に備える。第３突起１０は、現像剤収容室４に対して現像ローラ３の反対側に位置する。第３突起１０は、第１方向において、ベース部３７に対して現像ローラ３の反対側に位置する。第３突起１０は、フレーム２の外表面７に設けられる。
【００３３】
図３に示すように、第３突起１０は、軸線方向における外表面７の他端部に位置する。第３突起１０は、軸線方向において、外表面７の第２エッジ７Ｂに対して間隔を空けて位置する。第３突起１０は、軸線方向において、第２エッジ７Ｂと開口１４の他方のエッジ１４Ｂとの間に位置する。軸線方向における第１エッジ７Ａと第１突起８との間の距離と、軸線方向における第２エッジ７Ｂと第３突起１０との間の距離とは同じである。
【００３４】
図１に示すように、第３突起１０は、外表面７から現像ローラ３から離れる方向に突出する。第３突起１０は、外表面７から第１方向に延びる。第３突起１０は、第３面１２を有する。第３面１２は、円弧形状を有する。第３面１２と軸線Ａとの間の距離は、第１面５と軸線Ａとの間の距離と同じである。つまり、第３面１２における点Ｐ３と軸線Ａとの間の距離は、第１面５における点Ｐ１と軸線Ａとの間の距離と同じである。点Ｐ３は、第３面１２における軸線Ａから最も遠い点である。
【００３５】
第３面１２は、現像カートリッジ１が第１の仕様のドラムカートリッジ３０Ａに装着されたときに、外部から押圧される。詳しくは、第３面１２は、現像カートリッジ１が第１の仕様のドラムカートリッジ３０Ａに装着されたときに、第２押圧部材４２により押圧される。なお、第２押圧部材４２は、第４面１３を押圧しない。第２押圧部材４２は、第３面１２を感光ドラム３５に向かって押圧する。第２押圧部材４２は、現像カートリッジ１を感光ドラム３５に向けて押圧する。これにより、現像ローラ３は感光ドラム３５と安定して接触する。
【００３６】
第４突起１１は、現像剤収容室４に対して現像ローラ３の反対側に位置する。第４突起１１は、第１方向において、ベース部３７に対して現像ローラ３の反対側に位置する。第４突起１１は、フレーム２の外表面７に設けられる。
【００３７】
図３に示すように、第４突起１１は、軸線方向における外表面７の他端部において、第１方向に第３突起１０と間隔を空けて位置する。第４突起１１は、軸線方向において、第３突起１０に対して第２エッジ７Ｂの反対側に位置する。軸線方向における第１エッジ７Ａと第２突起９との間の距離と、軸線方向における第２エッジ７Ｂと第４突起１１との間の距離とは同じである。第４突起１１は、開口１４の他方のエッジ１４Ｂに対して、第３突起１０の反対側に位置する。つまり、第４突起１１は、開口１４の他方のエッジ１４Ｂに対して、軸線方向の一方に間隔を空けて位置する。第３突起１０は、開口１４の他方のエッジ１４Ｂに対して、軸線方向の他方に間隔を空けて位置する。軸線方向における開口１４の他方のエッジ１４Ｂと第３突起１０との間の距離Ｌ６は、０．５ｍｍ〜２ｍｍである。軸線方向における開口１４の他方のエッジ１４Ｂと第４突起１１との間の距離Ｌ７は、０．５ｍｍ〜２ｍｍである。軸線方向における第４突起１１の寸法と、軸線方向における第３突起１０の寸法とは、互いに異なる。詳しくは、軸線方向における第４突起１１の寸法は、軸線方向における第３突起１０の寸法より大きい。
【００３８】
また、軸線方向における第３突起１０の寸法は、軸線方向における第１突起８の寸法と同じである。軸線方向における第４突起１１の寸法は、軸線方向における第２突起９の寸法と同じである。また、第４突起１１は、軸線方向において、第２突起９と間隔を空けて位置している。
【００３９】
図１に示すように、第４突起１１は、外表面７から現像ローラ３から離れる方向に突出する。第４突起１１は、外表面７から第１方向に延びる。第１方向における第４突起１１の寸法は、第１方向における第３突起１０の寸法よりも大きい。
【００４０】
第４突起１１は、第４面１３を有する。第４面１３は、円弧形状を有する。第４面１３と軸線Ａとの間の距離は、第２面６と軸線Ａとの間の距離Ｌ４と同じである。詳しくは、第４面１３における点Ｐ４と軸線Ａとの間の距離と、第２面６における点Ｐ２と軸線Ａとの間の距離とは同じである。点Ｐ４は、第４面１３における軸線Ａから最も遠い点である。また、第４面１３は、第１方向において、第３面１２に対して間隔を空けて位置する。第１方向における第３面１２と第４面１３との間の距離は、第１面５と第２面６との間の距離と同じである。
【００４１】
図４に示すように、第４突起１１は、現像カートリッジ１が第２の仕様のドラムカートリッジ３０Ｂに装着されたときに、外部から押圧される。詳しくは、第４面１３は、現像カートリッジ１が第２の仕様のドラムカートリッジ３０Ｂに装着された状態において、第２押圧部材４３により押圧される。なお、第２押圧部材４３は、第３面１２を押圧しない。第２押圧部材４２は、第３面１２を感光ドラム３５に向かって押圧する。第２押圧部材４２は、現像カートリッジ１を感光ドラム３５に向けて押圧する。これにより、現像ローラ３は、感光ドラム３５と安定して接触する。
【００４２】
２．３  接触部
図１および図２に示すように、現像カートリッジ１は、現像カートリッジ１がドラムカートリッジ３０に装着された状態において、ドラムカートリッジ３０に位置決めされるように構成される。現像カートリッジ1は、現像カートリッジ１がドラムカートリッジ３０に装着された状態において、ドラムカートリッジ３０に接触可能な複数の接触部を備える。詳しくは、現像カートリッジ１は、第１接触部３２と、第２接触部３３と、第３接触部４４と、第４接触部４５とを備える。第１接触部３２および第３接触部４４は、現像カートリッジ１が第１の仕様のドラムカートリッジ３０Ａに装着されたときに第１の仕様のドラムカートリッジ３０Ａと接触可能である。これにより、第１接触部３２および第３接触部４４は、現像カートリッジ１が第１の仕様のドラムカートリッジ３０Ａに装着されたときに、着脱方向において現像カートリッジ１をドラムカートリッジ３０に位置決めする。つまり、第１接触部３２および第３接触部４４が現像カートリッジ１を第１の仕様のドラムカートリッジ３０Ａに位置決めした状態で、第１面５が第１押圧部材４０に押圧され、第３面１２が第２押圧部材４２に押圧される（図１参照）。
【００４３】
第２接触部３３および第４接触部４５は、現像カートリッジ１が第２の仕様のドラムカートリッジ３０Ｂに装着されたときに第２の仕様のドラムカートリッジ３０Ｂと接触可能である。これにより、第２接触部３３および第４接触部４５は、現像カートリッジ１が第１の仕様のドラムカートリッジ３０Ａに装着されたときに、着脱方向において現像カートリッジ１をドラムカートリッジ３０に位置決めする。つまり、第２接触部３３および第４接触部４５が現像カートリッジ１を第２の仕様のドラムカートリッジ３０Ｂに位置決めした状態で、第２面６が第１押圧部材４１に押圧され、第４面１３が第２押圧部材４３に押圧される（図４参照）。
【００４４】
詳しくは、フレーム２は、第１接触部３２と、第２接触部３３と、第３接触部４４と、第４接触部４５とを備える。第１接触部３２は、ベース部３７に対して着脱方向に並ぶ。第１接触部３２は、軸線方向におけるベース部３７の一端部に位置する。第１接触部３２は、第２接触部３３に対して、軸線方向の一方に位置する。第１接触部３２は、第１方向において第１面５と並ぶ。そのため、第１接触部３２が現像カートリッジ１を第１の仕様のドラムカートリッジ３０Ａに位置決めした状態で、第１面５は第１押圧部材４０に確実に押圧されることができる。第１接触部３２は、ベース部３７から着脱方向に延びる。第１接触部３２は、現像カートリッジ１が第１の仕様のドラムカートリッジ３０Ａに装着されたときに、第１の仕様のドラムカートリッジ３０Ａの底壁３４Ｂと接触する。これにより、第１接触部３２は、現像カートリッジ１を第１の仕様のドラムカートリッジ３０Ａに対して、着脱方向に位置決めする。
【００４５】
第２接触部３３は、第１接触部３２と異なる。第２接触部３３は、ベース部３７に対して着脱方向に並ぶ。第２接触部３３は、軸線方向におけるベース部３７の一端部において、第１接触部３２と間隔を空けて位置する。第２接触部３３は、第１方向において第２面６と並ぶ。そのため、第２接触部３３が現像カートリッジ１を第２の仕様のドラムカートリッジ３０Ｂに位置決めした状態で、第２面６は第１押圧部材４１に確実に押圧されることができる。第２接触部３３は、ベース部３７から着脱方向に延びる。第２接触部３３は、現像カートリッジ１が第２の仕様のドラムカートリッジ３０Ｂに装着されたときに、第２の仕様のドラムカートリッジ３０Ｂの底壁３４Ｂと接触する。これにより、第２接触部３３は、現像カートリッジ１を第２の仕様のドラムカートリッジ３０Ｂに対して、着脱方向に位置決めする。
【００４６】
第３接触部４４は、ベース部３７に対して着脱方向に並ぶ。第３接触部４４は、軸線方向におけるベース部３７の他端部に位置する。第３接触部４４は、第４接触部４５に対して、軸線方向の他方に位置する。第３接触部４４は、第１方向において第３面１２と並ぶ。そのため、第３接触部４４が現像カートリッジ１を第１の仕様のドラムカートリッジ３０Ａに位置決めした状態で、第３面１２は、第２押圧部材４２に確実に押圧されることができる。第３接触部４４は、ベース部３７から着脱方向に延びる。第３接触部４４は、現像カートリッジ１が第１の仕様のドラムカートリッジ３０Ａに装着されたときに、第１の仕様のドラムカートリッジ３０Ａの底壁３４Ｂと接触する。これにより、第３接触部４４は、現像カートリッジ１を第１の仕様のドラムカートリッジ３０Ａに対して、着脱方向に位置決めする。
【００４７】
第４接触部４５は、第３接触部４４と異なる。第４接触部４５は、ベース部３７に対して着脱方向に並ぶ。第４接触部４５は、軸線方向におけるベース部３７の他端部において、第３接触部４４と間隔を空けて位置する。第４接触部４５は、第１方向において第４面１３と並ぶ。そのため、第４接触部４５が現像カートリッジ１を第２の仕様のドラムカートリッジ３０Ｂに位置決めした状態で、第４面１３は、第２押圧部材４３に確実に押圧されることができる。第４接触部４５は、ベース部３７から着脱方向に延びる。第４接触部４５は、現像カートリッジ１が第２の仕様のドラムカートリッジ３０Ｂに装着されたときに、第２の仕様のドラムカートリッジ３０Ｂの底壁３４Ｂと接触する。これにより、第４接触部４５は、現像カートリッジ１を第２の仕様のドラムカートリッジ３０Ｂに対して、着脱方向に位置決めする。
【００４８】
２．４  ハンドル、第１リブ、第２リブ
フレーム２は、さらに、ハンドル５０と、第１リブ５１と、第２リブ５２とを備える。ハンドル５０は、外表面７に位置する。ハンドル５０は、軸線方向において、第２突起９と第４突起１１との間に位置する。ハンドル５０は、外表面７から第１方向に突出する。第１リブ５１は、外表面７に位置する。第１リブ５１は、軸線方向において、ハンドル５０と第２突起９との間に位置する。第１リブ５１は、外表面７から第１方向に突出する。軸線方向における第１リブ５１の寸法は、軸線方向における第１突起８の寸法よりも小さい。第２リブ５２は、軸線方向において、ハンドル５０と第４突起１１との間に位置する。第２リブ５２は、外表面７から第１方向に突出する。軸線方向における第２リブ５２の寸法は、軸線方向における第１突起８の寸法よりも小さい。第１リブ５１および第２リブ５２は、現像カートリッジ１がドラムカートリッジ３０に装着された状態において、外部から押圧されない。
【００４９】
３．作用効果
図１に示すように、フレーム２が、第１面５と、第２面６とを備える。第２面６は、第１面５よりも現像ローラ３から遠い。そして、第１面５は、現像カートリッジ１が第１の仕様のドラムカートリッジ３０Ａに装着されたときに、第１押圧部材４０に押圧される。また、図４に示すように、第２面６は、現像カートリッジ１が第２の仕様のドラムカートリッジ３０Ｂに装着されたときに、第１押圧部材４１に押圧される。つまり、現像カートリッジ１は、互いに異なる複数の仕様のドラムカートリッジ３０に装着されたときに、押圧部材３９から確実に押圧されることができる。そして、現像カートリッジ１がドラムカートリッジ３０に装着されたときに、第１面５および第２面６の少なくとも一方が押圧されるので、現像ローラ３を感光ドラム３５に向けて確実に接触させることができる。
【００５０】
４．第１実施形態の変形例
図５から図７を参照して、第１実施形態の変形例を説明する。以下の変形例においても、上記した実施形態と同様の作用効果を得ることができる。
【００５１】
４．１  第１の変形例
第１突起８および第２突起９の寸法は、上記した実施形態に限定されない。図５に示すように、例えば、軸線方向における第１突起８の寸法と、軸線方向における第２突起９の寸法とは、互いに同じであってもよい。また、軸線方向における第２突起９の寸法が、軸線方向における第１突起８の寸法より小さくてもよい。
【００５２】
また、第３突起１０および第４突起１１の寸法は、上記した実施形態に限定されない。例えば、軸線方向における第３突起１０の寸法と、軸線方向における第４突起１１の寸法とは、互いに同じであってもよい。また、軸線方向における第３突起１０の寸法が、軸線方向における第４突起１１の寸法より小さくてもよい。
【００５３】
４．２  第２の変形例
第２突起９の構成は、上記した実施形態に限定されない。図６に示すように、第２突起９は、突出部分１５と、取付部材１６とを備える。突出部分１５は、ベース部３７と一体である。突出部分１５は、外表面７から突出する。突出部分１５は、外表面７から第１方向に延びる。第１方向における突出部分１５の寸法は、第１方向における第１突起８の寸法と同じである。取付部材１６は、ベース部３７と別体である。取付部材１６は、突出部分１５に取り付けられる。取付部材１６は、突出部分１５に対して現像ローラ３の反対側に位置する。取付部材１６は、第２面６を有する。第２面６は、取付部材１６における突出部分１５と反対側の面である。
【００５４】
４．３  第３の変形例
第１突起８および第２突起９の構成は、上記した実施形態に限定されない。図７に示すように、第１突起８および第２突起９の少なくともいずれか一方は、ベース部３７に対して着脱可能であってもよい。第１突起８は、ベース部３７と別体である。第１突起８は、ベース部３７に装着された状態で、ベース部３７に固定される。第２突起９は、ベース部３７と別体である。第２突起９は、ベース部３７に装着された状態で、ベース部３７に固定される。第１突起８および第２突起９の両方がベース部３７に対して着脱可能であってもよい。また、第３突起１０および第４突起１１の少なくともいずれか一方が、ベース部３７に対して着脱可能であってもよい。
【００５５】
４．４  第４の変形例
第３面１２の配置および第４面１３の配置は、上記した実施形態に限定されない。第３面１２と軸線Ａとの間の距離は、第１面５と軸線Ａとの間の距離Ｌ１と異なっていてもよい。第４面１３と軸線Ａとの間の距離は、第２面６と軸線Ａとの間の距離Ｌ４と異なっていてもよい。
【００５６】
４．５  第５の変形例
第１突起８、第２突起９、第３突起１０および第４突起１１の配置は、上記した実施形態に限定されない。軸線方向における第１エッジ７Ａと第１突起８との間の距離と、軸線方向における第２エッジ７Ｂと第３突起１０との間の距離とは互いに異なっていてもよい。軸線方向における第１エッジ７Ａと第２突起９との間の距離と、軸線方向における第２エッジ７Ｂと第４突起１１との間の距離とは互いに異なっていてもよい。
【００５７】
４．６  第６の変形例
第１面５、第２面６、第３面１２および第４面１３の形状は、上記した実施形態に限定されない。第１面５、第２面６、第３面１２および第４面１３は、平面であってもよい。
【００５８】
［第２実施形態］
図８および図９を参照して、第２実施形態の現像カートリッジ２１について説明する。現像カートリッジ２１において、現像カートリッジ１と同じ部材には、同じ符号を付し、説明を省略する。
【００５９】
１．第１突起および第２突起
現像カートリッジ２１は、第１突起８および第２突起９に代えて、第１面５および第２面６を有する第１突起１７を備える。フレーム２は、第１突起１７を一体的に備える。第１突起１７は、現像剤収容室４に対して現像ローラ３の反対側に位置する。第１突起１７は、第１方向において、ベース部３７に対して現像ローラ３の反対側に位置する。第１突起１７は、フレーム２の外表面７に設けられる。
【００６０】
図９に示すように、第１突起１７は、軸線方向における外表面７の一端部に位置する。第１突起１７は、軸線方向において、第１エッジ７Ａに対して間隔を空けて位置する。第１突起１７は、軸線方向に延びる。軸線方向における第１突起１７の寸法Ｌ８は、６ｍｍ〜２０ｍｍである。第１突起１７は、軸線方向における第１突起１７の一方のエッジ１７Ａと、軸線方向における第１突起１７の他方のエッジ１７Ｂとを有する。一方のエッジ１７Ａと他方のエッジ１７Ｂとは、軸線方向に互いに間隔を空けて位置する。
【００６１】
第１突起１７の一方のエッジ１７Ａは、軸線方向において、第１エッジ７Ａと開口１４の一方のエッジ１４Ａとの間に位置する。第１突起１７の他方のエッジ１７Ｂは、開口１４の一方のエッジ１４Ａに対して、第１突起１７の一方のエッジ１７Ａの反対側に位置する。つまり、第１突起１７の一方のエッジ１７Ａは、開口１４の一方のエッジ１４Ａに対して軸線方向の一方に位置する。第１突起１７の他方のエッジ１７Ｂは、開口１４の一方のエッジ１４Ａに対して軸線方向の他方に位置する。軸線方向における開口１４の一方のエッジ１４Ａと第１突起１７の一方のエッジ１７Ａとの間の距離Ｌ９は、３ｍｍ〜１０ｍｍである。軸線方向における開口１４の一方のエッジ１４Ａと第１突起１７の他方のエッジ１７Ｂとの間の距離Ｌ１０は、３ｍｍ〜１０ｍｍである。
【００６２】
図８に示すように、第１突起１７は、フレーム２の外表面７から現像ローラ３から離れる方向に突出する。第１突起１７は、外表面７から第１方向に延びる。
【００６３】
第２面６は、第１面５に対して、第１エッジ７Ａの反対側に位置する。第１突起１７は、段差を有する。第１突起１７は、さらに、連結面５３を有する。連結面５３は、第１面５と第２面６とを連結する。
【００６４】
また、フレーム２は、第３突起１０および第４突起１１に代えて、第３面１２および第４面１３を有する第２突起１８を一体的に備える。第２突起１８は、現像剤収容室４に対して現像ローラ３の反対側に位置する。第２突起１８は、第１方向において、ベース部３７に対して現像ローラ３の反対側に位置する。第２突起１８は、フレーム２の外表面７に設けられる。
【００６５】
図９に示すように、第２突起１８は、軸線方向における外表面７の他端部に位置する。第２突起１８は、軸線方向において、第１突起１７と間隔を空けて位置する。第２突起１８は、軸線方向において、外表面７の第２エッジ７Ｂに対して間隔を空けて位置する。軸線方向における第１エッジ７Ａと第１突起１７との間の距離と、軸線方向における第２エッジ７Ｂと第２突起１８との間の距離とは同じである。
【００６６】
第２突起１８は、軸線方向に延びる。軸線方向における第２突起１８の寸法の寸法Ｌ１１は、６ｍｍ〜２０ｍｍである。第２突起１８は、軸線方向における第２突起１８の一方のエッジ１８Ａと、軸線方向における第２突起１８の他方のエッジ１８Ｂとを有する。一方のエッジ１８Ａと他方のエッジ１８Ｂとは、軸線方向に互いに間隔を空けて位置する。
【００６７】
第２突起１８の他方のエッジ１８Ｂは、軸線方向において、第２エッジ７Ｂと開口１４の他方のエッジ１４Ｂとの間に位置する。第２突起１８の一方のエッジ１８Ａは、開口１４の他方のエッジ１４Ｂに対して、第２突起１８の他方のエッジ１８Ｂの反対側に位置する。つまり、第２突起１８の一方のエッジ１８Ａは、開口１４の他方のエッジ１４Ｂに対して軸線方向の一方に位置する。第２突起１８の他方のエッジ１８Ｂは、開口１４の他方のエッジ１４Ｂに対して軸線方向の他方に位置する。軸線方向における開口１４の他方のエッジ１４Ｂと第２突起１８の一方のエッジ１８Ａとの間の距離Ｌ１２は、３ｍｍ〜１０ｍｍである。軸線方向における開口１４の他方のエッジ１４Ｂと第２突起１８の他方のエッジ１８Ｂとの間の距離Ｌ１３は、３ｍｍ〜１０ｍｍである。
【００６８】
図８に示すように、第２突起１８は、外表面７から現像ローラ３から離れる方向に突出する。第２突起１８は、外表面７から第１方向に延びる。
【００６９】
また、第４面１３は、軸線方向において、第３面１２に対して第２エッジ７Ｂの反対側に位置する。第２突起１８は、段差を有する。第２突起１８は、さらに、連結面５４を有する。連結面５４は、第３面１２と第４面１３とを連結する。なお、第２実施形態においても、第１面５と軸線Ａとの間の距離Ｌ１は、第３面１２と軸線Ａとの間の距離と同じである。第２面６と軸線Ａとの間の距離Ｌ４は、第４面１３と軸線Ａとの間の距離と同じである。
【００７０】
２．作用効果
第２実施形態においても、上記した第１実施形態と同様の作用効果を得ることができる。詳しくは、図８に示すように、現像カートリッジ２１が第１の仕様のドラムカートリッジ３０Ａに装着されたときに、第１面５が第１押圧部材４０に押圧されるとともに、第３面１２が第２押圧部材４２に押圧される。また、図１０に示すように、現像カートリッジ２１が第２の仕様のドラムカートリッジ３０Ｂに装着されたときに、第２面６が第１押圧部材４１に押圧されるとともに、第４面１３が第２押圧部材４３に押圧される。そのため、現像カートリッジ２１がドラムカートリッジ３０に装着されたときに、現像ローラ３を感光ドラム３５に確実に接触させることができる。
【００７１】
３．第２実施形態の変形例
図１１から図１３を参照して、第２実施形態の変形例を説明する。以下の変形例においても、上記した実施形態と同様の作用効果を得ることができる。
【００７２】
３．１  第１の変形例
第１突起１７および第２突起１８の構成は、上記した実施形態に限定されない。図１１に示すように、第１突起１７および第２突起１８の少なくともいずれか一方は、ベース部３７に対して着脱可能であってもよい。第１突起１７は、ベース部３７と別体である。第１突起１７は、ベース部３７に装着された状態で、ベース部３７に固定される。第２突起１８は、ベース部３７と別体である。第２突起１８は、ベース部３７に装着された状態で、ベース部３７に固定される。第１突起１７および第２突起１８の両方がベース部３７に対して着脱可能であってもよい。
【００７３】
３．２  第２の変形例
第１突起１７における外部から押圧される位置は、上記した実施形態に限定されない。図１２に示すように、外部から押圧される押圧位置は、軸線方向における第１突起１７の中央よりも、軸線方向における第１突起１７の端部に近くてもよい。詳しくは、現像カートリッジ２１が第１の仕様のドラムカートリッジ３０Ａに装着された状態（図８参照）において、第１押圧部材４０に押圧される押圧位置は、軸線方向における第１面５の一端部である。また、現像カートリッジ２１が第２の仕様のドラムカートリッジ３０Ｂに装着された状態（図１０参照）において、第１押圧部材４１に押圧される押圧位置は、軸線方向における第２面６の他端部である。軸線方向における第１突起１７の端部は、軸線方向における第１突起１７の中央と比較して剛性が高い。そのため、第１突起１７は、外部からの押圧力を確実に受けることができる。
【００７４】
３．３  第３の変形例
第２突起１８における外部から押圧される位置は、上記した実施形態に限定されない。図１３に示すように、外外部から押圧される押圧位置は、軸線方向における第２突起１８の中央よりも、軸線方向における第２突起１８の端部に近くてもよい。詳しくは、現像カートリッジ２１が第１の仕様のドラムカートリッジ３０Ａに装着された状態（図８参照）において、第２押圧部材４２に押圧される押圧位置は、軸線方向における第３面１２の他端部である。また、現像カートリッジ２１が第２の仕様のドラムカートリッジ３０Ｂに装着された状態（図１０参照）において、第２押圧部材４３に押圧される押圧位置は、軸線方向における第４面１３の一端部である。軸線方向における第２突起１８の端部は、軸線方向における第２突起１８の中央と比較して剛性が高い。そのため、第２突起１８は、外部からの押圧力を確実に受けることができる。
【００７５】
［第３実施形態］
図１４および図１５を参照して、第３実施形態の現像カートリッジ２２について説明する。現像カートリッジ２２において、現像カートリッジ１と同じ部材には、同じ符号を付し、説明を省略する。
【００７６】
１．突起
現像カートリッジ２２は、第１突起８、第２突起９、第３突起１０および第４突起１１に代えて、第１面５と、第２面６と、第３面１２とを有する突起２０を備える。フレーム２は、突起２０を備える。突起２０は、現像剤収容室４に対して現像ローラ３の反対側に位置する。突起２０は、第１方向において、ベース部３７に対して現像ローラ３の反対側に位置する。突起２０は、フレーム２の外表面７に設けられる。
【００７７】
突起２０は、外表面７の軸線方向の中央を、軸線方向に横切るように延びる。軸線方向における突起２０の寸法は、２００ｍｍ〜２３０ｍｍである。突起２０は、外表面７から現像ローラ３から離れる方向に突出する。突起２０は、外表面７から第１方向に延びる。
【００７８】
また、第１面５と、第２面６と、第３面１２とは、軸線方向に並ぶ。第２面６は、軸線方向において、第１面５と第３面１２との間に位置する。つまり、突起２０は、凸形状を有する。突起２０は、さらに、第１連結面５５と、第２連結面５６とを有する。第１連結面５５は、第１面５と第２面６とを連結する。第２連結面５６は、第２面６と第３面１２とを連結する。なお、第３実施形態においても、第３面１２と軸線Ａとの間の距離は、第１面５と軸線Ａとの間の距離Ｌ１と同じである。
【００７９】
第３実施形態においても、上記した第１実施形態と同様の作用効果を得ることができる。詳しくは、図１４に示すように、現像カートリッジ２２が第１の仕様のドラムカートリッジ３０Ａに装着されたときに、第１面５が第１押圧部材４０に押圧されるとともに、第３面１２が第２押圧部材４２に押圧される。また、図１５に示すように、現像カートリッジ２２が第２の仕様のドラムカートリッジ３０Ｂに装着されたときに、第２面６が第１押圧部材４１および第２押圧部材４３に押圧される。そのため、現像カートリッジ２２がドラムカートリッジ３０に装着されたときに、現像ローラ３を感光ドラム３５に確実に接触させることができる。
【００８０】
２．第３実施形態の変形例
第３実施形態の変形例を説明する。以下の変形例においても、上記した実施形態と同様の作用効果を得ることができる。
【００８１】
突起２０の構成は、上記した実施形態に限定されない。突起２０は、ベース部３７に対して着脱可能であってもよい。突起２０は、ベース部３７と別体である。突起２０は、ベース部３７に装着された状態で、ベース部３７に固定される。
【符号の説明】
【００８２】
１      現像カートリッジ
２      フレーム
３      現像ローラ
４      現像剤収容室
５      第１面
６      第２面
７      外表面
８      第１突起
９      第２突起
１０    第３突起
１１    第４突起
１２    第３面
１３    第４面
１４    開口
１５    突出部分
１６    取付部材
１７    第１突起
１８    第２突起
１９    第３面
２０    突起
２１    現像カートリッジ
２２    現像カートリッジ
３０Ａ  第１の仕様のドラムカートリッジ
３０Ｂ  第２の仕様のドラムカートリッジ
３２    第１接触部
３３    第２接触部
【図１】
2018055031.tif 000003
【図２】
2018055031.tif 000004
【図３】
2018055031.tif 000005
【図４】
2018055031.tif 000006
【図５】
2018055031.tif 000007
【図６】
2018055031.tif 000008
【図７】
2018055031.tif 000009
【図８】
2018055031.tif 000010
【図９】
2018055031.tif 000011
【図１０】
2018055031.tif 000012
【図１１】
2018055031.tif 000013
【図１２】
2018055031.tif 000014
【図１３】
2018055031.tif 000015
【図１４】
2018055031.tif 000016
【図１５】
2018055031.tif 000017